(57)【特許請求の範囲】
【請求項１】
締結具を用いて互いに締結されることにより、かごの上枠を把持し前記上枠に固定される複数の取付部材を有する上枠固定部、及び
基部が前記上枠固定部に接続されており、前記上枠上に立設される手摺本体
を備え、
前記上枠固定部は、
互いに対向する一対の平板状の第１の対向部と、前記第１の対向部間を接続する平板状の第１の接続部とが形成された前記取付部材としての断面コ字形の第１の取付金と、
互いに対向する一対の平板状の第２の対向部と、前記第２の対向部間を接続する平板状の第２の接続部とが形成され、前記第１の取付金の内側に挿入されて前記第１の取付金との間に前記上枠を挟持する前記取付部材としての断面コ字形の第２の取付金と
を有していることを特徴とするエレベータのかご上手摺装置。
【請求項２】
前記第１の取付金と前記第２の取付金とを前記締結具により締結した状態で、一方の前記第１の対向部と一方の前記第２の対向部との間に隙間が設けられていることを特徴とする請求項１記載のエレベータのかご上手摺装置。
【請求項３】
締結具を用いて互いに締結されることにより、かごの上枠を把持し前記上枠に固定される複数の取付部材を有する上枠固定部、及び
基部が前記上枠固定部に接続されており、前記上枠上に立設される手摺本体
を備え、
前記上枠固定部は、前記上枠の長手方向に直角な断面の外周を四方から囲む前記取付部材であるＬ字形の４個の取付金を有していることを特徴とするエレベータのかご上手摺装置。
【請求項４】
少なくとも１つの前記取付部材には、前記締結具が通される長孔が設けられており、前記取付部材同士の締結位置が調整可能になっていることを特徴とする請求項１から請求項３までのいずれか１項に記載のエレベータのかご上手摺装置。
【発明の詳細な説明】
【技術分野】
【０００１】
この発明は、エレベータのかご上手摺装置に関し、特にかご上への設置が容易なかご上手摺装置に関するものである。
【背景技術】
【０００２】
一般に、エレベータの改修工事において、既存のかごにかご上手摺装置がない場合や、かご上手摺装置があっても現在の基準を満足していない場合、既存のかごに新たなかご上手摺装置を設置する必要がある。このような場合、手摺取付用の取付孔がかごの上枠に加工される。
【０００３】
また、従来の作業台装置では、ガイドレールに係合するガイドローラのかごへの取付部を利用して、支持ベース部材がかご上に取り付けられる（例えば、特許文献１参照）。
【先行技術文献】
【特許文献】
【０００４】
【特許文献１】特開２０００−１４３１２９号公報
【発明の概要】
【発明が解決しようとする課題】
【０００５】
上記のような従来のかご上手摺装置の設置方法のうち、上枠に取付孔を加工する方法は、現地での作業にかなりの手間がかかってしまう。また、ガイドローラの取付部によりかご上手摺装置を支持するための十分な強度を確保するのが難しい。
【０００６】
この発明は、上記のような課題を解決するためになされたものであり、十分な強度で容易にかご上に設置することができるエレベータのかご上手摺装置を得ることを目的とする。
【課題を解決するための手段】
【０００７】
この発明に係るエレベータのかご上手摺装置は、締結具を用いて互いに締結されることにより、かごの上枠を把持し上枠に固定される複数の取付部材を有する上枠固定部、及び基部が上枠固定部に接続されており、上枠上に立設される手摺本体を備えている。
【発明の効果】
【０００８】
この発明のエレベータのかご上手摺装置は、取付部材を締結具で互いに締結することにより、これらの取付部材により上枠を把持し、これにより上枠固定部を上枠に固定するので、上枠への孔明け加工等は不要であり、上枠の任意の位置に上枠固定部を固定することができ、十分な強度で容易にかご上に設置することができる。
【図面の簡単な説明】
【０００９】
【図１】この発明の実施の形態１によるエレベータのかごを示す斜視図である。
【図２】図１のかご上へのかご上手摺装置の設置途中の状態を示す斜視図である。
【図３】この発明の実施の形態２によるかご上手摺装置の要部を示す平面図である。
【図４】図３のＩＶ−ＩＶ線に沿う断面図である。
【図５】図３の上枠固定部を幅寸法の異なる上枠に固定した状態を示す平面図である。
【図６】図５のＶＩ−ＶＩ線に沿う断面図である。
【図７】この発明の実施の形態３によるかご上手摺装置の断面図である。
【図８】この発明の実施の形態４によるかご上手摺装置の断面図である。
【図９】図８の上枠固定部を幅寸法及び高さ寸法の異なる上枠に固定した状態を示す断面図である。
【発明を実施するための形態】
【００１０】
以下、この発明を実施するための形態について、図面を参照して説明する。
実施の形態１．
図１はこの発明の実施の形態１によるエレベータのかごを示す斜視図、図２は図１のかご上へのかご上手摺装置の設置途中の状態を示す斜視図である。図において、かご室１は、かご枠２に支持されている。かご枠２は、かご室１を支持するかご床３、かご床３の上方に水平に配置されている矩形の上枠４、かご床３と上枠４との間に垂直に固定されている一対の縦柱５とを有している。
【００１１】
上枠４は、前枠６と、前枠６に対向する後枠７と、前枠６の第１の端部と後枠７の第１の端部との間に接続された第１の側枠８と、前枠６の第２の端部と後枠７の第２の端部との間に接続された第２の側枠９とを有している。これらの前枠６、後枠７及び側枠８，９は、いずれも断面矩形で直線状の部材である。
【００１２】
後枠７は、前枠６に平行に配置されている。側枠８，９は、互いに平行に配置されている。側枠８，９の中間部には、縦柱５の上端部が固定されている。前枠６には、かごドア装置１０が取り付けられている。かご室１の前面には、かご出入口を開閉する一対のかごドア１１が設けられている。
【００１３】
かご上手摺装置は、第１の側枠８に取り付けられた第１の側部手摺１２と、第２の側枠９に取り付けられた第２の側部手摺１３と、後枠７に取り付けられた後部手摺１４とを有している。
【００１４】
各手摺１２，１３，１４は、上枠４に固定された一対の上枠固定部１５と、基部が上枠固定部１５に接続され、上枠４上に立設された手摺本体１６とを有している。各上枠固定部１５は、取付部材としての断面コ字形の第１の取付金１７と、第１の取付金１７の内側に挿入されて第１の取付金１７との間に上枠４を挟持する取付部材としての断面コ字形の第２の取付金１８とを有している。
【００１５】
第１及び第２の取付金１７，１８は、複数の締結具１９（ボルト・ナット等）を用いて互いに締結されることにより、上枠４を把持し上枠４に固定される。手摺本体１６の基部は、工場出荷前に予め第１の取付金１７に固定されている。
【００１６】
このようなエレベータのかご上手摺装置では、第１及び第２の取付金１７，１８を締結具１９で互いに締結することにより、これらの取付金１７，１８により上枠４を把持し、これにより上枠固定部１５を上枠４に固定するので、上枠４への孔明け加工等、現地での追加加工は不要であり、上枠４の任意の位置に上枠固定部１５を固定することができ、十分な強度で容易に手摺１２，１３，１４をかご上に設置することができる。
【００１７】
実施の形態２．
次に、図３はこの発明の実施の形態２によるかご上手摺装置の要部を示す平面図、図４は図３のＩＶ−ＩＶ線に沿う断面図、図５は図３の上枠固定部１５を幅寸法の異なる上枠４に固定した状態を示す平面図、図６は図５のＶＩ−ＶＩ線に沿う断面図である。なお、図３は図４のＩＩＩ−ＩＩＩ線に沿う断面図に相当し、図５は図６のＶ−Ｖ線に沿う断面図に相当する。
【００１８】
第１の取付金１７には、互いに対向する一対の平板状の第１の対向部１７ａと、第１の対向部１７ａ間を接続する平板状の第１の接続部１７ｂとが形成されている。第２の取付金１８には、互いに対向する一対の平板状の第２の対向部１８ａと、第２の対向部１８ａ間を接続する平板状の第２の接続部１８ｂとが形成されている。
【００１９】
各第１の対向部１７ａには、締結具１９が通される一対の長孔１７ｃが設けられている。各第２の対向部１８ａには、締結具１９が通される一対の挿通孔が設けられている。これにより、第２の取付金１８の第１の取付金１７への締結位置（挿入深さ）が調整可能になっている。他の構成は、実施の形態１と同様である。
【００２０】
このようなかご上手摺装置では、第１の取付金１７に長孔１７ｃが設けられているので、第２の取付金１８の第１の取付金１７への締結位置を容易に調整することができ、上枠４の幅寸法が異なる場合でも、同一の構成の上枠固定部１５により対応することができ、コストを低減することができる。
【００２１】
なお、第１及び第２の取付金１７，１８の向きを図４の状態から９０°変更し、取付金１７，１８の開口が下方へ向くように配置することにより、上枠４の高さ寸法が異なる場合にも、同一の構成の上枠固定部１５により対応することができる。
また、上記の例では、第１の取付金１７に長孔１７ｃを設けたが、第２の取付金１８に長孔を設けても、第１及び第２の取付金１７，１８の両方に長孔を設けてもよい。
【００２２】
実施の形態３．
次に、図７はこの発明の実施の形態３によるかご上手摺装置の断面図である。図において、第１の取付金１７と第２の取付金１８とを締結具１９により締結した状態で、一方の前記第１の対向部１７ａと一方の第２の対向部１８ａとの間には、隙間ｇが設けられている。他の構成は、実施の形態１又は２と同様である。
【００２３】
このようなかご上手摺装置では、締結具１９を締め付けることにより、第１の取付金１７に上枠４を挟み込む方向の力が発生するため、上枠固定部１５と上枠４との間に生じる摩擦力により、上枠固定部１５を上枠４に強固に固定することができ、上枠固定部１５の横ずれを防止することができる。
【００２４】
実施の形態４．
次に、図８はこの発明の実施の形態４によるかご上手摺装置の断面図、図９は図８の上枠固定部１５を幅寸法及び高さ寸法の異なる上枠４に固定した状態を示す断面図である。図において、上枠固定部１５は、Ｌ字形の４個の取付部材、即ち第１ないし第４の取付金２１〜２４を有している。これらの取付金２１〜２４は、同一形状、同一寸法の部材である。
【００２５】
また、取付金２１〜２４は、上枠４の長手方向に直角な断面の外周を四方から囲むように配置されている。さらに、取付金２１〜２４は、締結具１９を用いて互いに締結されることにより、上枠４を把持し上枠４に固定される。さらにまた、取付金２１〜２４には、締結具１９が通される挿通孔と長孔２１ａ〜２４ａとが設けられている。手摺本体１６の基部は、工場出荷前に予め第１の取付金２１に固定されている。他の構成は、実施の形態１と同様である。
【００２６】
このようなＬ字形の取付金２１〜２４を用いた上枠固定部１５によっても、上枠４への孔明け加工等が不要であり、上枠４の任意の位置に上枠固定部１５を固定することができ、十分な強度で容易に手摺１２，１３，１４をかご上に設置することができる。
【００２７】
また、取付金２１〜２４に長孔２１ａ〜２４ａを設けたので、上枠４の幅寸法及び高さ寸法が異なる場合でも、同一の構成の上枠固定部１５により対応することができ、コストを低減することができる。
【００２８】
なお、実施の形態４において、長孔２１ａ〜２４ａは、必ずしも全ての取付金２１〜２４に設けなくてもよい。但し、全ての取付金２１〜２４を同一構造とすることにより、部品の種類を削減してコストを低減できる。
また、実施の形態１〜４のかご上手摺装置は折り畳み式ではないが、一般的に用いられている折り畳み式のかご上手摺装置にもこの発明は適用できる。例えば、手摺本体１６を上枠固定部１５に対して回動可能にし、かご上に倒して収納可能としてもよい。
さらに、構成の異なる上枠固定部１５を組み合わせて用いてもよい。
さらにまた、上枠固定部１５の数は特に限定されるものではなく、１つの手摺本体１６に対して、１個又は３個以上であってもよい。
【符号の説明】
【００２９】
４  上枠、１５  上枠固定部、１６  手摺本体、１７，２１  第１の取付金、１７ａ  第１の対向部、１７ｂ  第１の接続部、１７ｃ，２１ａ〜２４ａ  長孔、１８，２２  第２の取付金、１８ａ  第１の対向部、１８ｂ  第２の接続部、１９  締結具、２３  第３の取付金、２４  第４の取付金。
【図１】
0005638383.tif 000002
【図２】
0005638383.tif 000003
【図３】
0005638383.tif 000004
【図４】
0005638383.tif 000005
【図５】
0005638383.tif 000006
【図６】
0005638383.tif 000007
【図７】
0005638383.tif 000008
【図８】
0005638383.tif 000009
【図９】
0005638383.tif 000010